(57)【要約】【課題】  幅寸法を容易に調整することができて施工にかかる手間を低減することができ、しかも配線や配管を内部に収納することができる配線配管用間仕切りパネルを提供する。【解決手段】  隣り合う壁パネル８、８の間に設置される配線配管用間仕切りパネルＡに関する。一対の柱材１、２を近接離間可能に対向配置する。電気配線などの配線や水道管などの配管を挿通するための収納部材３を前記一対の柱材１、２の間に配設する。カバー部材４で柱材１、２及び収納部材３を覆う。この発明によれば、一対の柱材１、２を互いに近接離間することによって、配線配管用間仕切りパネルＡの幅寸法を容易に調整することができ、芯材を切断する必要がなくなる。配線や配管を収納部材３に挿通することができる。【選択図】  図１
2005146690.tif 000002
【特許請求の範囲】
【請求項１】
隣り合う壁パネルの間に設置される配線配管用間仕切りパネルであって、一対の柱材を近接離間可能に対向配置し、電気配線などの配線や水道管などの配管を挿通するための収納部材を前記一対の柱材の間に設け、カバー部材で柱材及び収納部材を覆って成ることを特徴とする配線配管用間仕切りパネル。
【請求項２】
対向配置された一対の柱材の間に伸縮可能な支持部材を架設して成ることを特徴とする請求項１に記載の配線配管用間仕切りパネル。
【請求項３】
壁パネルの嵌合凹部に嵌合するための接続凸部を一方の柱材に形成すると共に、壁パネルの嵌合凸部に嵌合するための接続凹部を他方の柱材に形成して成ることを特徴とする請求項１又は２に記載の配線配管用間仕切りパネル。
【発明の詳細な説明】
【技術分野】
【０００１】
本発明は、電気、電話、テレビケーブルなどの電気配線やガス、水道、空調機などの配管を内部に配設するための配線配管用間仕切りパネルに関するものである。
【背景技術】
【０００２】
従来より、屋内の電気配線や空調機の配管を壁パネルの内部を通して配設することが行われている。例えば、特許文献１には、木製あるいはアルミニウム製の縦桟と横桟とからなる芯材にスリーブを設けると共に芯材の表面に板材を設けた壁パネルが開示されており、スリーブに配線や配管を挿通することができるように形成されている。そして、壁パネルの内部に配線や配管を収納することによって、配管や配線を見えないようにすることができ、屋内の美観を損ねないようにしたものである。
【０００３】
しかし、特許文献１に記載の壁パネルでは、施工現場に応じて幅寸法（横方向の寸法）を調整する場合に芯材と板材を切断しなければならず、施工に手間がかかるという問題があった。特に、部屋の壁の隅部分を形成する壁パネルは幅寸法の調整が頻繁に行われるが、コンセントやスイッチを設ける壁パネルも部屋の隅部分を形成することが多く、従って、容易に幅寸法を調整することができ、且つ配線や配管を内部に収納することができる壁パネルが要望されていた。
【特許文献１】特開２０００−４５４５５号公報
【発明の開示】
【発明が解決しようとする課題】
【０００４】
本発明は上記の点に鑑みてなされたものであり、幅寸法を容易に調整することができて施工にかかる手間を低減することができ、しかも配線や配管を内部に収納することができる配線配管用間仕切りパネルを提供することを目的とするものである。
【課題を解決するための手段】
【０００５】
本発明の配線配管用間仕切りパネルＡは、隣り合う壁パネル８、８の間に設置される配線配管用間仕切りパネルＡであって、一対の柱材１、２を近接離間可能に対向配置し、電気配線などの配線や水道管などの配管を挿通するための収納部材３を前記一対の柱材１、２の間に配設し、カバー部材４で柱材１、２及び収納部材３を覆って成ることを特徴とするものである。
【０００６】
この発明によれば、一対の柱材１、２を互いに近接離間することによって、配線配管用間仕切りパネルＡの幅寸法を容易に調整することができ、芯材を必要としないのでそれを切断する必要がなくなって施工にかかる手間を低減することができるものであり、また、配線や配管を収納部材３に挿通することができ、配線や配管を配線配管用間仕切りパネルＡ内に収納して外観を損なわないようにすることができるものである。
【０００７】
本発明においては、対向配置された一対の柱材１、２の間に伸縮可能な支持部材５を架設することが好ましい。
【０００８】
この発明によれば、一対の柱材１、２の間隔を支持部材５の架設により保持することができ、柱材１、２に不用意な力がかかっても、配線配管用間仕切りパネルＡの幅寸法が容易に変わらないようにすることができるものである。また、支持部材５を伸縮させることにより柱材１、２の間隔を微調整などのために変更することができる。
【０００９】
また、本発明においては、壁パネル８の嵌合凹部１２に嵌合するための接続凸部６を一方の柱材１に形成すると共に、壁パネル８の嵌合凸部１３を嵌合するための接続凹部７を他方の柱材２に形成するのが好ましい。
【００１０】
この発明によれば、柱材１、２を隣接する他の壁パネル８に凹凸嵌合することによって、配線配管用間仕切りパネルＡを他の壁パネル８で支持することができ、配線配管用間仕切りパネルＡの取り付け強度を高めることができるものである。
【発明の効果】
【００１１】
本発明は、一対の柱材を互いに近接離間することによって、配線配管用間仕切りパネルの幅寸法を容易に調整することができ、芯材を必要としないのでそれを切断する必要がなくなって施工にかかる手間を低減することができるものであり、また、配線や配管を収納部材に挿通することができ、配線や配管を配線配管用間仕切りパネル内に収納して外観を損なわないようにすることができるものである。
【発明を実施するための最良の形態】
【００１２】
以下、本発明を実施するための最良の形態を説明する。
【００１３】
本発明の配線配管用間仕切りパネルＡは、一対の柱材１、２と収納部材３とカバー部材４及び支持部材５などを備えて形成されている。
【００１４】
図２（ａ）（ｂ）に示すように、一対の柱材１、２はそれぞれ別体に形成されており、また、一対の柱材１、２は上下方向に長いポール形状に形成されている。一方の柱材１は断面略凸字状に形成することにより、側方に向かって突出する接続凸部６が上下方向の全長に亘って設けられている。また、他方の柱材２は断面略コ字状に形成することにより、側方に向かって開口する接続凹部７が上下方向の全長に亘って設けられている。柱材１、２としてはアルミニウム−亜鉛めっき鋼板などのめっき鋼板、ステンレス鋼板、アルミニウムなどの金属の成形品を用いることができる。また、柱材１、２の肉厚は１．２ｍｍ程度にすることができるが、これに限定されるものではない。
【００１５】
一方の柱材１には接続凸部６を設けた方と反対側の面においてアーム材５ａが突設されていると共に、他方の柱材２には接続凹部７を開口した方と反対側の面においてアーム材５ａが突設されている。アーム材５ａは下向きに開口した断面略コ字状に形成されるものであり、例えば、ステンレス鋼製のＣ型チャンネルなどを用いることができるが、これに限定されるものではない。各柱材１、２にはそれぞれ上下一対のアーム材５ａ、５ａが設けられている。また、工場等において各アーム材５ａは柱材１、２に対して溶接により固着するのが好ましく、これにより、施工現場においてアーム材５ａを柱材１、２に対してビス留めする場合に比べて、アーム材５ａの取付精度や取付強度を高くすることができるものである。
【００１６】
収納部材３は、電気、電話、テレビケーブルなどの電気配線やガス、水道、空調機などの配管を挿通することができるように、上下に開口するパイプを用いることができる。収納部材３の材質は特に限定されず、ステンレス鋼の金属製や塩化ビニル樹脂等の合成樹脂製のものを用いることができ、また、断面形状も円形や角形などの適宜のものを用いることができる。
【００１７】
図３に示すように、カバー部材４は柱材１、２と同等の上下寸法を有する板材であって、ステンレス鋼板、めっき鋼板、塗装鋼板などの金属板を用いることができる。また、カバー部材４の厚みは０．５ｍｍ程度にすることができるが、これに限定されるものではない。また、カバー部材４の表面には左右一対の溝部１０が上下方向の全長に亘って凹設されている。
【００１８】
さらに、本発明の配管配線用間仕切りパネルＡには上記の溝部１０の全長に亘って嵌め込み可能な樹脂製のキャップ１１が備えられている。
【００１９】
そして、本発明の配管配線用間仕切りパネルＡは、例えば、次のようにして施工することができる。まず、配線や配管を配設する箇所以外に本発明とは異なる他の壁パネル８を施工する。この壁パネル８は従来から用いられている通常の間仕切りパネルであって、例えば、二枚の金属板の間にロックウール等の芯材を充填したサンドイッチパネルなどを用いることができる。上記壁パネル８の一方の側端部には嵌合凹部１２が形成されていると共に壁パネル８の他方の側端部には嵌合凸部１３が形成されており、嵌合凹部１２と嵌合凸部１３を嵌合することによって隣接する二枚の壁パネル８が接続されることになる。また、本発明の配線配管用間仕切りパネルＡを施工する箇所は、隣り合う二枚の壁パネル８を離間させて両者の側端部間に所定の間隔を設けるようにするが、この時、一方の壁パネル８の嵌合凹部１２と他方の壁パネル８の嵌合凸部１３とが間隔を介して対向配置されるものである。尚、嵌合凹部１２にはパッキン３５を設けることができる。
【００２０】
この後、図４に示すように、上記壁パネル８と同等の高さを有する柱材１、２を壁パネル８に配置する。一方の柱材１はその接続凸部６を上記対向配置された嵌合凹部１２に嵌合して配置すると共に、他方の柱材２はその接続凹部７を上記対向配置された嵌合凸部１３に被嵌して配置する。従って、柱材１、２はその内面同士を互いに対向させて、すなわち、一方の柱材１の接続凸部６が形成されていない方の面と、他方の柱材２の接続凹部７が形成されていない方の面とを互いに対向させて配置されるものであり、これにより、一方の柱材１の上側のアーム材５ａと他方の柱材２の上側のアーム材５ａとを対向させると共に一方の柱材１の下側のアーム材５ａと他方の柱材２の下側のアーム材５ａとを対向させる。また、柱材１、２は壁パネル８に完全には固定されておらず、近接離間可能に配置されている。
【００２１】
次に、図５に示すように、対向する上側のアーム材５ａ、５ａの間に連結材５ｂを設けると共に対向する下側のアーム材５ａ、５ａの間にも連結材５ｂをさらに設ける。連結材５ｂとは下向きに開口した断面略コ字状に形成されるものであり、例えば、アーム材５ａと同様のＣ型チャンネルなどを用いることができる。そして、対向するアーム材５ａ、５ａを連結材５ｂの両端部に一つずつスライド移動自在に外嵌することによって、一対のアーム材５ａ、５ａと連結材５ｂからなる伸縮可能な支持部材５を形成するものであり、連結材５ｂに対して各アーム材５ａ、５ａをスライド移動させて伸縮することにより支持部材５の全長を柱材１、２の対向面間の長さに調整した後、アーム材５ａが連結材５ｂに対してスライド移動しないようにアーム材５ａと連結材５ｂとをビス等の固定具３０で固定することによって、支持部材５が柱材１、２の対向面間の長さに対応した全長を維持するようにする。このようにして図６のように、壁パネル８、８に配置した柱材１、２の間に支持部材５を架設し、二本の支持部材５で柱材１、２を突っ張ることにより、柱材１、２を自立させて立設する。尚、支持部材５は三本以上使用しても良い。
【００２２】
次に、図７に示すように、一枚目のカバー部材４を配設する。このカバー部材４は柱材１、２と支持部材５の片側を覆うように配置した後、溝部１０の底面から支持部材５に向かってビス等の固定具３２を打入することによって、カバー部材４を支持部材５に固定する。また、このカバー部材４の内面（柱材１、２側の面）にはコンセントボックス（スイッチボックス）１６が取り付けられる。この時、コンセントボックス１６の開口部１６ａをカバー部材４ａに設けた開口部４ａに位置合わせして露出させている。図８に示すようにコンセントボックス１６は正面が開口部１６ａとして開放された箱型に形成されるものであり、コンセント部品２２を保持固定した枠体２３が開口部１６ａに取り付け自在に形成されている。また、コンセントボックス１６の上部には収納部材３と連結可能な通孔２６が設けられている。
【００２３】
次に、図９に示すように、上側の支持部材５に設けた貫通孔１５に収納部材３を挿着する。貫通孔１５は上側の支持部材５の連結材５ｂを上下に貫通するようにして設けられるものであるが、この貫通孔１５は、連結材５ｂとアーム材５ａとを嵌合する前に形成しても良いし、連結材５ｂとアーム材５ａとを嵌合した後で形成しても良い。そして、この貫通孔１５に上下に長い収納部材３を挿着することによって、一対の柱材１、２の間に収納部材３を配設する。収納部材３の上端は柱材１、２の上端と略同じ高さにすると共に収納部材３の下端は下側の支持部材５の上側に位置するようにするが、これに限定されるものではない。また、上記のように収納部材３を支持部材５に取り付ける際に、天井等から引き出した電気配線を収納部材３内に挿通すると共に収納部材３の下端を上記のコンセントボックス１６の通孔２６に連結する。このようにして通孔２６を通じてコンセントボックス１６内にまで電気配線を導入する。
【００２４】
次に、図１０に示すように、二枚目のカバー部材４を配設する。このカバー部材４は柱材１、２と収納部材３及び支持部材５のもう一方の片側（上記と反対側）を覆うように配置した後、溝部１０の底面から支持部材５に向かってビス等の固定具３２を打入することによって、カバー部材４を支持部材５に固定するものである。従って、一対のカバー部材４、４は柱材１、２と収納部材３及び支持部材５を挟んで対向配置されるものであって、これにより、柱材１、２と収納部材３及び支持部材５が一対のカバー部材４、４で覆われることになる。ここで、カバー部材４、４は隣接する壁パネル８の表面と略面一になるものである。そして、この後、全ての溝部１０の全長に亘ってキャップ１１を嵌め込むことによって、本発明の配線配管用間仕切りパネルＡを施工することができる。
【００２５】
上記のようにして配線配管用間仕切りパネルＡを施工した後、枠体２３に保持固定されたコンセント部品２２にコンセントボックス１６内の電気配線を接続し、次に、カバー部材４の開口部４ａに露出するコンセントボックス１６の開口部１６ａに枠体２３を取り付け、この後、カバー部材４の開口部４ａを塞ぐようにしてコンセントカバー２１をカバー部材４に取り付けることによって、図１に示すように配線配管用間仕切りパネルＡにコンセントを形成することができる。
【００２６】
本発明の配線配管用間仕切りパネルＡでは、天井から引き出した電気配線をコンセント部２１に接続するにあたって、該電気配線を配線配管用間仕切りパネルＡの上面に開口する収納部材３の上端から収納部材３内に挿通して収納することができ、配線を配線配管用間仕切りパネルＡ内に収納して外観を損なわないようにすることができるものである。また、一対の柱材１、２を互いに近接離間することによって、配線配管用間仕切りパネルＡの幅寸法を調整することができ、芯材を切断する必要がなくなって施工にかかる手間を低減することができるものである。尚、カバー部材４は施工現場や工場などで切断することができる。また、一対の柱材１、２を施工後にそれらの間にグラスウールなどの断熱材を入れて断熱性を確保しても良い。
【００２７】
上記では、収納部材３内に電気配線を収納するために、収納部材３の下端にはコンセントボックス１６を設けたが、収納部材３内に電話配線を収納する場合は電話端子用ボックスを設けることができる。また、収納部材３内にテレビケーブルを収納する場合はアンテナ端子用ボックスを、収納部材３内にガス管を収納する場合はガスコネクタ用ボックスを、収納部材３内に水道管を収納する場合は混合水栓などをそれぞれ設けることができる。
【００２８】
また、上記では工場等においてアーム材５ａを柱材１、２に対して溶接により固着した例を示したが、これに限定されず、例えば、図１１に示すように、アーム材５ａの外側端部（連結材５ｂに嵌合しない方の端部）に取付板５ｃを設け、この取付板５ｃを柱材１、２にビス留めすることによって、施工現場においてアーム材５ａを柱材１、２に固定してもよく、これにより、工場等においてアーム材５ａを柱材１、２に溶接で固定する場合よりも、柱材１、２が搬送しやすくなるものである。尚、この場合、柱材１、２を壁パネル８に配置した状態でアーム材５ａをビス留めしてもよいし、柱材１、２を壁パネル８に配置する前にアーム材５ａをビス留めしてもよい。
【図面の簡単な説明】
【００２９】
【図１】本発明の実施の形態の一例を示す斜視図である。
【図２】同上の柱材の一例を示し、（ａ）（ｂ）は斜視図である。
【図３】同上のカバー部材の一例を示す斜視図である。
【図４】同上の施工途中を示す斜視図である。
【図５】同上の施工途中を示す斜視図である。
【図６】同上の施工途中を示し、（ａ）は平面図、（ｂ）は一部の正面図である。
【図７】同上の施工途中を示す斜視図である。
【図８】同上のコンセントボックスの一例を示す斜視図である。
【図９】同上の施工途中を示す斜視図である。
【図１０】同上の施工途中を示す斜視図である。
【図１１】同上の柱材に対するアーム材の取付状態の他例を示し、（ａ）は平面図、（ｂ）は一部の正面図である。
【符号の説明】
【００３０】
１  柱材
２  柱材
３  収納部材
４  カバー部材
５  支持部材
６  接続凸部
７  接続凹部
８  壁パネル
１２  嵌合凹部
１３  嵌合凸部
Ａ  配線配管用間仕切りパネル
【図１】
2005146690.tif 000003
【図２】
2005146690.tif 000004
【図３】
2005146690.tif 000005
【図４】
2005146690.tif 000006
【図５】
2005146690.tif 000007
【図６】
2005146690.tif 000008
【図７】
2005146690.tif 000009
【図８】
2005146690.tif 000010
【図９】
2005146690.tif 000011
【図１０】
2005146690.tif 000012
【図１１】
2005146690.tif 000013